(57)【要約】【課題】スライド皿が枠体に収納された状態において、化粧料収納部の高い気密性を実現することが可能なスライド式コンパクト容器を提供する。【解決手段】枠体２と、枠体に対しスライド移動自在に設けられるスライド皿３とを備え、スライド皿には、中蓋７により開閉自在に閉止される化粧料収納部５が形成されるとともに、枠体には、枠体に収納されたスライド皿の中蓋の上面に圧接して、中蓋を閉じ方向に押圧する圧接部２ｇを設けた。【選択図】図３
2006263189.tif 000002
【特許請求の範囲】
【請求項１】
枠体と、該枠体に対しスライド移動自在に設けられるスライド皿とを備え、
該スライド皿には、中蓋により開閉自在に閉止される化粧料収納部が形成されるとともに、
上記枠体には、該枠体に収納された上記スライド皿の上記中蓋の上面に圧接して、該中蓋を閉じ方向に押圧する圧接部を設けたことを特徴とするスライド式コンパクト容器。
【請求項２】
前記圧接部は、前記スライド皿を前記枠体内方に押し込むにつれて、前記中蓋を下方へ押圧する傾斜部であることを特徴とする請求項１に記載のスライド式コンパクト容器。
【請求項３】
前記圧接部は、前記枠体から突出され、当該枠体内方に押し込まれた前記スライド皿の前記中蓋によって弾性変形される押圧弾性片であることを特徴とする請求項１に記載のスライド式コンパクト容器。
【発明の詳細な説明】
【技術分野】
【０００１】
本発明は、スライド皿が枠体に収納された状態において、化粧料収納部の高い気密性を実現することが可能なスライド式コンパクト容器に関する。
【背景技術】
【０００２】
従来、スライド式コンパクト容器に関する技術として、例えば特許文献１に開示されたものが知られている。この技術は、化粧料収納部を有するスライド式の中皿を箱状の枠体に引き出し自在に格納している。枠体底面の中央部と後方部には凹陥部が隆起形成され、これら各凹陥部に対応させて、スライド皿下面の中央部と後方部に突起が形成されている。スライド皿を枠体に押し込み、枠体中に完全に格納することによって、容器を閉止する際には、上記各凹陥部の上に上記各突起が乗り上げ、これら突起と凹陥部とが互いに嵌合しあうことにより、スライド皿と枠体とが互いに係止される。これら突起と凹陥部との嵌合状態、すなわちスライド式コンパクト容器の閉止状態では、化粧用収納部の上縁に形成された環状隆起が枠体の天板内側に設けられたパッキンに押しつけられて、化粧料収納部の気密が図られる。
【０００３】
上記両凹陥部は、ともに頂部断面が略Ｍ字状に形成されており、中央に形成された凹部と、当該凹部の両側に隆起形成された凸部とからなる。また、枠体の後端は開口されており、スライド皿を枠体から引き出す際、特にスライド皿の引き出し操作の開始時点でスライド皿と枠体との間の係合状態を解除する際には、後端の開口部から指でスライド皿を前方に押し出すことによって、上記各突起と各凹陥部との嵌合を解除する。これらの嵌合を解除した後は、スライド皿をその前端部分を把持しつつ枠体から容易に引き出すことができる。
【特許文献１】実公昭６１−３８４９３号公報
【発明の開示】
【発明が解決しようとする課題】
【０００４】
ところで、上記従来のスライド式コンパクト容器では、スライド皿を枠体に押し込んでゆく際、上記両突起が、上記両凹陥部それぞれの頂部の両側に形成された凸部に乗り上げた際に最も上方に位置し、その後これを乗り越えて下降し、突起の下端が凹部の最下点に収まった時点で嵌合状態となる。従って、化粧料収納部の上縁は、突起が凸部に乗り上げた時点で、パッキンに対し最も強く圧接され、その後突起が凹部に嵌合された時点では、若干その圧接力が緩むようになっていた。
【０００５】
ここで注意すべきことは、嵌合状態（スライド皿が枠体に完全に収納された状態、以下単に「収納状態」という）のときの化粧料収納部上縁とパッキンとの間の圧接力が強すぎる場合、突起が凸部に乗り上げた際にはそれ以上に強い圧接力が発生するので、突起が凹陥部の凸部を乗り越えることがあまりにも困難となってしまう。ひいては、スライド皿を枠体から引き出す際に、突起と凹陥部との嵌合を解除すること、およびスライド皿を枠体に押し込み、完全な収納状態とすることが困難となってしまう。従って必然的に、収納状態での化粧料収納部とパッキンとの間の圧接力を適度に弱めざるを得ず、さらにその結果、収納状態での化粧料収納部の気密性を若干犠牲にせざるを得なかったため、収納状態において十分な気密性を確保することができず、特に揮発性成分を多く含有した化粧料などの場合には劣化しやすいという課題があった。
【０００６】
その上、上記従来技術では、枠体の後端が開口されているため、収納状態においてスライド皿の後方は完全に大気中にに暴露された状態であったため、より一層、化粧料収納部の気密性の点で問題があった。
【０００７】
本発明は上記従来の課題に鑑みて創案されたものであって、スライド皿が枠体に収納された状態において、化粧料収納部の高い気密性を実現することが可能なスライド式コンパクト容器を提供することを目的とする。
【課題を解決するための手段】
【０００８】
本発明にかかるスライド式コンパクト容器は、枠体と、該枠体に対しスライド移動自在に設けられるスライド皿とを備え、該スライド皿には、中蓋により開閉自在に閉止される化粧料収納部が形成されるとともに、上記枠体には、該枠体に収納された上記スライド皿の上記中蓋の上面に圧接して、該中蓋を閉じ方向に押圧する圧接部を設けたことを特徴とする。
【０００９】
また、前記圧接部は、前記スライド皿を前記枠体内方に押し込むにつれて、前記中蓋を下方へ押圧する傾斜部であることを特徴とする。
【００１０】
また、前記圧接部は、前記枠体から突出され、当該枠体内方に押し込まれた前記スライド皿の前記中蓋によって弾性変形される押圧弾性片であることを特徴とする  。
【発明の効果】
【００１１】
本発明にかかるスライド式コンパクト容器にあっては、スライド皿が枠体に収納された状態において、化粧料収納部の高い気密性を実現することが可能となる。
【発明を実施するための最良の形態】
【００１２】
以下に、本発明にかかるスライド式コンパクト容器の好適な実施形態を、添付図面を参照して詳細に説明する。第１の実施形態のスライド式コンパクト容器１は、基本的には、図１〜図３に示すように、おおよそ直方体形状で前端側の端面が開口された枠体２と、当該枠体２に対しスライド移動自在に設けられ、上記枠体２の前端側開口部２ａから出し入れされるスライド皿３とから構成される。
【００１３】
スライド皿３の外形は、枠体２内部にほぼぴったりと収納しうる直方体である。スライド皿３の上面部４には、前後方向（スライド移動方向）中程に、平面形状がおおよそ矩形で凹状の化粧料収納部５が左右に２つ並列に設けられている。また、これら化粧料収納部５よりも前端寄りの位置には、平面形状が各化粧料収納部５よりも横長（左右方向が長手）の矩形状で、凹状の化粧用具収納部６が形成されている。
【００１４】
上面部４の両化粧料収納部５後方には、ヒンジ機構により回動自在に連結され、両化粧料収納部５をまとめて開閉自在に閉止する１つの中蓋７が設けられている。中蓋７は、ヒンジ部７ａと、両化粧料収納部５を覆う寸法の矩形板状の蓋部７ｂとから構成されている。スライド皿３は、中蓋７を閉止した状態（以下、閉止状態という）で枠体２内部に収納することが可能である。従って上面部４は、中蓋７の上下寸法分、スライド皿３外形の上端よりも下方に位置している。なお、枠体２や、化粧料収納部５、中蓋７などの形状は本実施形態のような直方体形状や平面矩形状に限らず、平面円形など、他の形状であってもよいことはもちろんである。
【００１５】
また、中蓋７の上面、中央付近には、中蓋７と一体的に上方に若干隆起させて環状当接部７ｃが形成されている。また、スライド皿３の後端部４ａは、スライド皿３を枠体２に完全に収納した状態で、枠体２の後壁２ａ内側にぴったりと当接する。
【００１６】
中蓋７の蓋部７ｂの内側、すなわち閉止状態における下面側には、その外形がおおよそ蓋部７ｂと相似形をなす、矩形の環状パッキン８が設けられている。閉止状態において、上面部４の、両化粧料収納部５の四方を囲繞する周壁４ｂの上端面が、環状パッキン８の環状突出部８ａに圧接される。環状パッキン８は、この環状突出部８ａと、当該環状突出部８ａから一体的に内方へ張り出し、蓋部７ｂ下面に密着されたフランジ部８ｂとから構成されている。
【００１７】
蓋部７ｂの中央付近、環状パッキン８よりも内側の部分には、パッキン押さえ板９が設けられている。パッキン押さえ板９は矩形の中央部分９ａと、中央部分９ａから一体的に外側へ張り出した環状鍔部９ｂとから構成されており、中央部分９ａの周縁部は、超音波接着などの手段により蓋部７ｂ下面に直に接合されている。他方、環状鍔部９ｂは、上記環状パッキン８のフランジ部８ｂの下方に密着して、これを支持することにより、環状パッキン８を蓋部７ｂ下面に固定している。
【００１８】
なお中蓋７は、既製品のもの、特に化粧料収納部５に対する気密性の点で実績のあるものを使用することとしてもよい。そのようにすれば、スライド式コンパクト容器１の製造期間の短縮化を図ることが可能であるとともに、化粧料収納部５の気密性をより一層安定的に高い水準に維持することが可能となる。
【００１９】
枠体２は、おおよそ矩形の天板２ｂと、その他の部分すなわち左右側壁２ｃ、後壁２ａ、および底板２ｄとが一体的に形成された本体部分とが互いに接合されて形成されている。天板２ｂの上面側は平坦であるが、天板２ｂの下面側には上下方向に起伏が設けられている。すなわち、天板２ｂの前方側は、薄肉に形成された薄肉部２ｅとなっており、その結果、枠体２の前端側開口部２ａの上下寸法は比較的大きく、スライド皿３の上下寸法、すなわちスライド皿３の下端面から環状当接部７ｃの上端までの寸法にほぼ一致している。
【００２０】
一方、天板２ｂの中央付近を含む後方側は、厚肉に形成された厚肉部２ｆとなっており、その結果、厚肉部２ｆの下方における枠体２内部空間の上下寸法は、スライド皿３の上下寸法よりも若干小さくなるように設定されている。従って、スライド皿３を、中蓋７が厚肉部２ｆの下方に位置するまで押し込むためには、中蓋７の環状パッキン８が若干上下に押し潰されて上下寸法を縮小させる必要がある。
【００２１】
天板２ｂの、薄肉部２ｅと厚肉部２ｆとを連結する部分は、圧接部としての傾斜部２ｇとなっており、薄肉部２ｅから厚肉部２ｆへと近づくに従って次第に厚肉となっている。この傾斜部２ｇは、スライド皿３を枠体２内方に押し込むにつれて途中から中蓋７の環状当接部７ｃに当接し始め、中蓋７を次第に強く下方に押圧する。スライド皿３が枠体２に完全に収納された状態では、傾斜部２ｇの後端付近が環状当接部７ｃに圧接し、この環状当接部７ｃを作用点として中蓋７を閉じ方向に押圧して、環状パッキン８を上下方向に押し潰す。
【００２２】
以上の構成を備える第１の実施形態にかかるスライド式コンパクト容器１の作動について説明する。まず、スライド皿３を枠体２に押し込み、収納するには、枠体２を片手の手指などで保持しつつ、スライド皿３を、その前端部分に他方の手の指などを押し当て、枠体２内方に押し込む。スライド皿３を枠体２の内方へと次第に押し込んでゆくにつれ、中蓋７上面に設けられた環状当接部７ｃが、枠体２の天板２ｂの傾斜部２ｇに当接し始め、さらに押し込むにつれて、中蓋７が、環状当接部７ｃを作用点として次第に強い力で下方へ押圧される。
【００２３】
そして、スライド皿３の後端部４ａが枠体２の後壁２ａに突き当たり、スライド皿３が完全に枠体２に収納された状態では、傾斜部２ｇの後端付近が環状当接部７ｃに圧接して、中蓋７を閉じ方向に最も強い力で押圧し、環状パッキン８を上下方向に押し潰す。
【００２４】
逆に、スライド皿３を枠体２から引き出すには、枠体２を片手の手指などで保持しつつ、スライド皿３の前端部分を他方の手指などにより把持しつつ枠体２から引き出す。
【００２５】
以上説明したように、第１の実施形態にかかるスライド式コンパクト容器１にあっては、枠体２に収納されたスライド皿３の中蓋７の上面、すなわち環状当接部７ｃに圧接して中蓋７を閉じ方向に押圧する圧接部としての傾斜部２ｇを設け、特にこの傾斜部２ｇはスライド皿３を枠体２の内方に押し込むにつれて、環状当接部７ｃを次第に強く下方へ押圧することとした。その際、従来技術のようにスライド皿の枠体への収納状態における押圧力を適度に弱めたりする必要が無く、スライド皿３が枠体２に完全に収納された状態において、中蓋７が閉じ方向に最も強い力で押圧されるとともに、環状パッキン８が最も大きく上下に押し潰される。その結果、化粧料収納部５の高い気密性を実現することが可能となる。
【００２６】
また、天板２ｂ下面の前方側は薄肉部２ｅとなっているため、枠体２の前方側から傾斜部２ｇの途中にかけての部分の上下寸法は、スライド皿３の、通常状態（枠体２に収納されて環状パッキン８が押し潰された状態でない状態）における上下寸法にほぼ一致しており、必要以上の余裕を設けてはいない。その結果、スライド皿３が枠体２に収納された状態において枠体２の前端側開口部２ａとスライド皿３前端部との間の気密性も、高い水準に維持されるとともに、スライド皿３の出し入れは十分にスムーズであり、かつまた出し入れの最中にスライド皿３が上下にがたつくことがない。もちろんスライド皿３が枠体２に収納された状態では、上下方向に圧接されているので、このときも上下方向のがたつきは発生しない。
【００２７】
図４から図６には、本発明にかかるスライド式コンパクト容器１の第２の実施形態が示されている。第１の実施形態と異なる構成要素について説明する。まず、スライド皿３の上面部４には、第１の実施形態における両化粧料収納部５と同様の位置に、平面略円形で凹状の２つの嵌合孔２０が形成されており、両嵌合孔２０にはそれぞれ、交換可能なリフィル容器２１が着脱自在に嵌合されている。これらリフィル容器２１は、既製品のものを使用することも可能であって、その場合は、当該既製品の形状に合わせて嵌合孔２０の形状を設定するようにすればよい。
【００２８】
各リフィル容器２１は、上記嵌合孔２０に嵌合される皿部２２と、当該皿部２２に対し、互いの後端側部分でヒンジ結合されて皿部２２を開閉自在に閉止する中蓋２３とから構成される。皿部２２の内側は化粧料収納部５となっている。中蓋２３の上面、中央付近には、第１の実施形態と同様の環状当接部２３ａが設けられている。皿部２２の前端部と、スライド皿３の上面部４の、皿部２２を囲繞する周壁４ｂの前端側との間には若干の間隙Ｓが形成されている。
【００２９】
中蓋２３の前端部分には、閉止状態において下方に突出する係止片２３ｂが一体的に形成されている。また、皿部２２の前端部には前方に向けて係止突起２２ａが突出形成されている。閉止状態では、係止片２３ｂが上記間隙Ｓ内に挿入され、係止突起２２ａと係合し合うことにより、中蓋２３が皿部２２に対して係止される。中蓋２３の内側には、その外形がおおよそ中蓋２３と相似形の、円環状の環状パッキン２４と、パッキン押さえ板２５が設けられている。環状パッキン２４とパッキン押さえ板２５の構成は、第１の実施形態とほぼ同様であるが、中蓋２３の閉止状態においては、皿部２２の上端面が環状パッキン２４に圧接される。
【００３０】
枠体２は、第１の実施形態同様、おおよそ矩形板状の天板２ｂと、その他の部分である本体部分とが互いに接合されて形成されている。しかしながら、天板２ｂの下面側は、第１の実施形態のような起伏は形成されておらず、平坦である。天板２ｂの下面側の前後方向中程には、スライド皿３が収納された状態において両リフィル容器２１の中心付近に対応する位置、すなわち当該収納状態において両中蓋２３の環状当接部２３ａに対応する位置に、圧接部としての押圧弾性片２６が設けられている。
【００３１】
より具体的には、天板２ｂの、両環状当接部２３ａに対応する位置には、矩形の開口部２７が形成され、当該各開口部２７の前側縁辺からは天板２ｂと一体的に、後方へと突出させて、開口部２７よりも一回り小さい矩形状の押圧弾性片２６が設けられている。押圧弾性片２６は、より詳細には、根元側すなわち前側から順に、根元部２６ａ、テーパ部２６ｂ、およびレバー部２６ｃから構成されており、いずれの部分とも、天板２ｂの、押圧弾性片２６以外の部分よりも上下方向に厚みが小さい。
【００３２】
根元部２６ａの下面は天板２ｂの下面から連続しており、水平方向に延長している。根元部２６ａに続くテーパ部２６ｂの下面側は、下方へ次第に厚みを増す傾斜面となっており、テーパ部２６ｂに続くレバー部２６ｃの下面は再び水平方向に延長している。その結果、テーパ部２６ｂおよびレバー部２６ｃの下方における枠体２内部空間の上下寸法は、スライド皿３の上下寸法、すなわちスライド皿３の下端面から環状当接部２３ａの上端までの寸法よりも小さく設定されている。
【００３３】
なお、押圧弾性片２６の形状は、中蓋２３の上面に弾性変形されつつ圧接して、中蓋２３を閉じ方向に押圧するものであればよく、本実施形態の例に限定されるものではない。例えば、天板２ｂに開口部２７を設けず、天板２ｂの下面からまっすぐ下方へ膨出したような形状であっても構わない。
【００３４】
天板２ｂの上面側には、矩形の鏡Ｍが嵌め込まれており、その結果、上記開口部２７と押圧弾性片２６は、枠体２の上方から見えないようになっている。なお、鏡Ｍの代わりに装飾を施したプレートなどを設けることとしてもよい。
【００３５】
また、スライド皿３の左右両側面の前端部分には、左右方向外側に突出させて、スライド皿３を引き出す際に手指にて把持するための引き出し操作部２８が設けられている。各操作部の表面には滑り止めのための溝が複数形成されている。他方、枠体２の左右側壁２ｃの前端部分、上記引き出し操作部２８に対応する箇所には、スライド皿３を枠体２に収納する際に各引き出し操作部２８が納められる切り欠き部２９が形成されている。
【００３６】
このように構成された第２の実施形態にかかるスライド式コンパクト容器１にあっては、スライド皿３が枠体２の内方に押し込まれて完全に収納された状態において、押圧弾性片２６が中蓋２３上面の環状当接部２３ａに圧接して、中蓋２３を閉じ方向に押圧する。その際、押圧弾性片２６は、中蓋２３からの反力を受けて、若干上方に柔軟に弾性変形する。その結果、第１の実施形態と同様、従来技術のようにスライド皿の枠体への収納状態における押圧力を適度に弱めたりする必要が無く、スライド皿３を枠体２に収納した状態において、中蓋２３の上面が閉じ方向に強い力で押圧され、環状パッキン２４が上下方向に強く押し潰される結果、化粧料収納部５の高い気密性を実現することが可能となる。特にその際、押圧弾性片２６が柔軟に上方に弾性変形することとしたので、例えばリフィル容器２１や嵌合孔２０などの上下方向の寸法精度にばらつきが生じたとしても、これを適切に吸収することが可能となる。
【００３７】
また、リフィル容器２１として既製品のものを使用することが可能であるので、スライド式コンパクト容器１の製造期間の短縮化を図ることが可能であるとともに、気密性に優れた既製品のリフィル容器２１を選択することにより、化粧料収納部５の気密性をより一層高い水準に維持することが可能となる。また、スライド皿３の左右両側面の前端部分に引き出し操作部２８を設けたことにより、スライド皿３を枠体２から引き出す操作を容易に行うことができる。
【図面の簡単な説明】
【００３８】
【図１】本発明にかかるスライド式コンパクト容器の第１の実施形態を示す斜視図である。スライド皿を途中まで引き出した状態を示している。
【図２】図１のスライド式コンパクト容器の、スライド皿を途中まで引き出した状態の側断面図である。
【図３】図１のスライド式コンパクト容器の、スライド皿を枠体に完全に収納した状態の側断面図である。
【図４】本発明にかかるスライド式コンパクト容器の第２の実施形態を示す斜視図である。スライド皿を途中まで引き出した状態を示している。
【図５】図４のスライド式コンパクト容器の、平面図である。中蓋を省略し、スライド皿を途中まで引き出した状態を示している。
【図６】図４のスライド式コンパクト容器の、スライド皿を枠体に完全に収納した状態の側断面図である。
【符号の説明】
【００３９】
１    スライド式コンパクト容器
２    枠体
２ｇ  傾斜部（圧接部）
３    スライド皿
５    化粧料収納部
７    中蓋
２３  中蓋
２６  押圧弾性片（圧接部）
【図１】
2006263189.tif 000003
【図２】
2006263189.tif 000004
【図３】
2006263189.tif 000005
【図４】
2006263189.tif 000006
【図５】
2006263189.tif 000007
【図６】
2006263189.tif 000008